【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
以下の工程(a)〜(e)を含む、微小流体装置のチャネルへの２種以上のサンプル又は／及び試液の導入法。
(a)基板内に、第１のチャネル（1）へのサンプル又は試液の導入構造を少なくとも１個含む微小流体装置を用意する工程であって、当該構造は以下の(i)〜(iii)を含むものである、
（i）第１のチャネル（1）、
（ii）前記第１のチャネル（1）の壁に開口（2-1）し、且つ開口部（2-1）が間隔付けて配置された３個以上のドレイン用サイドチャネル（2）（但し、該ドレイン用サイドチャネル（2）が廃棄物リザーバ（4）に接続している。）、及び
（iii）前記第１のチャネル（1）の壁の、前記ドレイン用サイドチャネル（2）の開口部（2-1）とは異なる位置（部分）に開口（3-1）し且つ開口部（3-1）がドレイン用サイドチャネル（2）の隣り合う開口部（2-1）間に設けられる２個以上のサンプル又は試液導入用サイドチャネル（3）（但し、これら２個以上のサンプル又は試液導入用サイドチャネル（3）の開口部（3-1）は、異なる、ドレイン用サイドチャネル（2）の隣り合う開口部（2-1）間にそれぞれ設けられており、また、該サンプル又は試液導入用サイドチャネル（3）がサンプル又は試液リザーバ（5）に接続している。）
(b)少なくとも１つの、サンプル又は試液導入用サイドチャネル（3）に接続するサンプル又は試液リザーバ（5）に、サンプルを供給する工程、
(c)少なくとも１つの、サンプル又は試液導入用サイドチャネル（3）に接続するサンプル又は試液リザーバ（5）（但し、当該サンプル又は試液リザーバ（5）は工程(b)で使用したサンプル又は試液リザーバ（5）とは異なるものである。）に、試液を供給する工程、
(d)前記(b)でサンプルが供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記サンプルを移動させ、前記(b)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域にサンプルを導入する工程、及び
(e)前記(c)で試液が供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記試液を移動させ、前記(c)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域に試液を導入する工程。
【請求項２】
以下の工程(a)〜(f)を含む、サンプル中の分析物又はそのアナログと該分析物又はそのアナログと複合体を形成する物質との複合体を形成させる方法。
(a)基板内に、第１のチャネル（1）へのサンプル又は試液の導入構造を少なくとも１個含む微小流体装置を用意する工程であって、当該構造は以下の(i)〜(iii)を含むものである、
（i）第１のチャネル（1）、
（ii）前記第１のチャネル（1）の壁に開口（2-1）し、且つ開口部（2-1）が間隔付けて配置された３個以上のドレイン用サイドチャネル（2）（但し、該ドレイン用サイドチャネル（2）が廃棄物リザーバ（4）に接続している。）、及び
（iii）前記第１のチャネル（1）の壁の、前記ドレイン用サイドチャネル（2）の開口部（2-1）とは異なる位置（部分）に開口（3-1）し且つ開口部（3-1）がドレイン用サイドチャネル（2）の隣り合う開口部（2-1）間に設けられる２個以上のサンプル又は試液導入用サイドチャネル（3）（但し、これら２個以上のサンプル又は試液導入用サイドチャネル（3）の開口部（3-1）は、異なる、ドレイン用サイドチャネル（2）の隣り合う開口部（2-1）間にそれぞれ設けられており、また、該サンプル又は試液導入用サイドチャネル（3）がサンプル又は試液リザーバ（5）に接続している。）
(b)少なくとも１つの、サンプル又は試液導入用サイドチャネル（3）に接続するサンプル又は試液リザーバ（5）に、サンプルを供給する工程、
(c)少なくとも１つの、サンプル又は試液導入用サイドチャネル（3）に接続するサンプル又は試液リザーバ（5）（但し、当該サンプル又は試液リザーバ（5）は工程(b)で使用したサンプル又は試液リザーバ（5）とは異なるものである。）に、試液を供給する工程、
(d)前記(b)でサンプルが供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記サンプルを移動させ、前記(b)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域にサンプルを導入する工程、
(e)前記(c)で試液が供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記試液を移動させ、前記(c)で使用したサンプル又は試液リザーバ（5）が接続する当該サンプル又は試液導入用サイドチャネル（3）、当該サンプル又は試液導入用サイドチャネル（3）と軸方向に隣接する当該２つのドレインサイドチャネル（2）、及び当該２つのドレインサイドチャネル（2）間の第１のチャネル領域に試液を導入する工程、及び
(f)前記第１のチャネル（1）に電圧を印加して、サンプル中の分析物又はそのアナログ、又は／及び試液中の少なくとも１種の、試液中の該分析物又はそのアナログと結合する物質を濃縮させながら、サンプル中の分析物又はそのアナログと、少なくとも１種の、該分析物又はそのアナログと結合する物質とを反応させて、サンプル中の分析物又はそのアナログと該分析物又はそのアナログと結合する物質との複合体を形成させる工程。
【請求項３】
以下の工程(a)〜(g)を含む、サンプル中の分析物又はそのアナログと該分析物又はそのアナログと複合体を形成する物質との複合体の分離法。
(a)基板内に、第１のチャネル（1）へのサンプル又は試液の導入構造を少なくとも１個含む微小流体装置を用意する工程であって、当該構造は以下の(i)〜(iv)を含むものである、
（i）上流側の端に上流リザーバ（6）を有し、下流側の他端に下流リザーバ（7）を有する第１のチャネル（1）、
（ii）前記第１のチャネル（1）の壁に開口（2-1）し、且つ開口部（2-1）が間隔付けて配置された３個以上のドレイン用サイドチャネル（2）（但し、該ドレイン用サイドチャネル（2）が廃棄物リザーバ（4）に接続している。）、
（iii）前記第１のチャネル（1）の壁の、前記ドレイン用サイドチャネル（2）の開口部（2-1）とは異なる位置（部分）に開口（3-1）し且つ開口部（3-1）がドレイン用サイドチャネル（2）の隣り合う開口部（2-1）間に設けられる２個以上のサンプル又は試液導入用サイドチャネル（3）（但し、これら２個以上のサンプル又は試液導入用サイドチャネル（3）の開口部（3-1）は、異なる、ドレイン用サイドチャネル（2）の隣り合う開口部（2-1）間にそれぞれ設けられており、また、該サンプル又は試液導入用サイドチャネル（3）がサンプル又は試液リザーバ（5）に接続している。）、及び
（iv）前記３個以上のドレイン用サイドチャネル（2）のうちの最も下流に位置するドレイン用サイドチャネル（2n）と、下流リザーバ（7）との間の第１のチャネル領域に連通する、電気泳動液導入用サイドチャネル（8）（但し、該電気泳動液導入用サイドチャネル（8）は電気泳動液リザーバ（11）に接続している）
(b)少なくとも１つの、サンプル又は試液導入用サイドチャネル（3）に接続するサンプル又は試液リザーバ（5）に、サンプルを供給する工程、
(c)少なくとも１つの、サンプル又は試液導入用サイドチャネル（3）に接続するサンプル又は試液リザーバ（5）（但し、当該サンプル又は試液リザーバ（5）は工程(b)で使用したサンプル又は試液リザーバ（5）とは異なるものである。）に、試液を供給する工程、
(d)前記(b)でサンプルが供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記サンプルを移動させ、前記(b)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域にサンプルを導入する工程、
(e)前記(c)で試液が供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記試液を移動させ、前記(c)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域に試液を導入する工程、
(f)前記第１のチャネル（1）の上流側の端の上流リザーバ（6）部分及び前記第１のチャネル（1）の下流側の他端の下流リザーバ（7）部分に電圧を印加して、前記３個以上のドレイン用サイドチャネル（2）のうちの最も上流に位置するドレイン用サイドチャネル（2a）と、前記３個以上のドレイン用サイドチャネル（2）のうちの最も下流に位置するドレイン用サイドチャネル（2n）との間の第１のチャネル領域（9a）、又は前記３個以上のドレイン用サイドチャネル（2）のうちの最も上流に位置するドレイン用サイドチャネル（2a）と、電気泳動液導入用サイドチャネル（8）との間の第１のチャネル領域（9b）で、サンプル中の分析物又はそのアナログ、又は／及び少なくとも１種の、試液中の該分析物又はそのアナログと結合する物質を濃縮させながら、サンプル中の分析物又はそのアナログと、少なくとも１種の、該分析物又はそのアナログと結合する物質とを反応させて、サンプル中の分析物又はそのアナログと該分析物又はそのアナログと結合する物質との複合体を形成させる工程、及び
(g)前記電気泳動液導入用サイドチャネル（8）に接続する電気泳動液リザーバ（11）部分と前記下流リザーバ（7）部分に電圧を印可して、当該複合体と、当該複合体の形成に関与しなかった分析物と結合する物質、又は当該複合体の形成に関与しなかったアナログとを分離する工程。
【請求項４】
以下の工程(a)〜(h)を含む、サンプル中の分析物又はそのアナログの測定法。
(a)基板内に、第１のチャネル（1）へのサンプル又は試液の導入構造を少なくとも１個含む微小流体装置を用意する工程であって、当該構造は以下の(i)〜(iv)を含むものである、
（i）上流側の端に上流リザーバ（6）を有し、下流側の他端に下流リザーバ（7）を有する第１のチャネル（1）、
（ii）前記第１のチャネル（1）の壁に開口（2-1）し、且つ開口部（2-1）が間隔付けて配置された３個以上のドレイン用サイドチャネル（2）（但し、該ドレイン用サイドチャネル（2）が廃棄物リザーバ（4）に接続している。）、
（iii）前記第１のチャネル（1）の壁の、前記ドレイン用サイドチャネル（2）の開口部（2-1）とは異なる位置（部分）に開口（3-1）し且つ開口部（3-1）がドレイン用サイドチャネル（2）の隣り合う開口部（2-1）間に設けられる２個以上のサンプル又は試液導入用サイドチャネル（3）（但し、これら２個以上のサンプル又は試液導入用サイドチャネル（3）の開口部（3-1）は、異なる、ドレイン用サイドチャネル（2）の隣り合う開口部（2-1）間にそれぞれ設けられており、また、該サンプル又は試液導入用サイドチャネル（3）がサンプル又は試液リザーバ（5）に接続している。）、及び
（iv）前記３個以上のドレイン用サイドチャネル（2）のうちの最も下流に位置するドレイン用サイドチャネル（2n）と、下流リザーバ（7）との間の第１のチャネル領域に連通する、電気泳動液導入用サイドチャネル（8）（但し、該電気泳動液導入用サイドチャネル（8）は電気泳動液リザーバ（11）に接続している）
(b)少なくとも１つの、サンプル又は試液導入用サイドチャネル（3）に接続するサンプル又は試液リザーバ（5）に、サンプルを供給する工程、
(c)少なくとも１つの、サンプル又は試液導入用サイドチャネル（3）に接続するサンプル又は試液リザーバ（5）（但し、当該サンプル又は試液リザーバ（5）は工程(b)で使用したサンプル又は試液リザーバ（5）とは異なるものである。）に、試液を供給する工程、
(d)前記(b)でサンプルが供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記サンプルを移動させ、前記(b)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域にサンプルを導入する工程、
(e)前記(c)で試液が供給されたサンプル又は試液リザーバ（5）から、当該リザーバ（5）が接続するサンプル又は試液導入用サイドチャネル（3）を介して、当該サンプル又は試液導入用サイドチャネル（3）と軸方向に隣接する２つのドレイン用サイドチャネル（2）に、前記試液を移動させ、前記(c)で使用したサンプル又は試液リザーバ（5）が接続する当該サンプル又は試液導入用サイドチャネル（3）、当該サンプル又は試液導入用サイドチャネル（3）と軸方向に隣接する当該２つのドレイン用サイドチャネル（2）、及び当該２つのドレイン用サイドチャネル（2）間の第１のチャネル領域に試液を導入する工程、
(f)前記第１のチャネル（1）の上流側の端の上流リザーバ（6）部分及び前記第１のチャネル（1）の下流側の他端の下流リザーバ（7）部分に電圧を印加して、前記３個以上のドレイン用サイドチャネル（2）のうちの最も上流に位置するドレイン用サイドチャネル（2a）と、前記３個以上のドレイン用サイドチャネル（2）のうちの最も下流に位置するドレイン用サイドチャネル（2n）との間の第１のチャネル領域（9a）、又は前記３個以上のドレイン用サイドチャネル（2）のうちの最も上流に位置するドレイン用サイドチャネル（2a）と、電気泳動液導入用サイドチャネル（8）との間の第１のチャネル領域（9b）で、サンプル中の分析物又はそのアナログ、又は／及び少なくとも１種の、試液中の該分析物又はそのアナログと結合する物質を濃縮させながら、サンプル中の分析物又はそのアナログと、少なくとも１種の、該分析物又はそのアナログと結合する物質とを反応させて、サンプル中の分析物又はそのアナログと該分析物又はそのアナログと結合する物質との複合体を形成させる工程、
(g)前記電気泳動液導入用サイドチャネル（8）に接続する電気泳動液リザーバ（11）部分と前記下流リザーバ（7）部分に電圧を印可して、当該複合体と、当該複合体の形成に関与しなかった分析物又はそのアナログと結合する物質、又は当該複合体の形成に関与しなかったアナログとを分離する工程、及び
(h)分離された複合体の量又は当該複合体の形成に関与しなかった分析物又はそのアナログと結合する物質の量又は当該複合体の形成に関与しなかったアナログの量を測定し、その結果に基づいてサンプル中の分析物又はそのアナログの量を求める工程。